(57)【特許請求の範囲】
【請求項１】
細長帯状の表裏面が布地で形成され、就寝中の胴部周りに巻き付ける可撓性の巻き付け帯と、
巻き付け帯の全体に長手方向に沿った張力を発生させて胴部周りに巻き付けた状態で、巻き付け帯の尾端部を、その下層の表面に表れる対応部位に係止する係止部とを備えたロール枕であって、
前記係止部は、前記巻き付け帯の前記尾端部の裏面に形成される第１面ファスナーと、
前記巻き付け帯の前記対応部位の表面に形成され、対向する第１面ファスナーに密着し相互に係止する第２面ファスナーとを備え、
前記巻き付け帯は、
上縁に沿って長手方向に連続し、少なくとも第１０肋骨上に巻き付けられる肋骨締め付け帯と、
肋骨締め付け帯の下方で肋骨締め付け帯に沿って長手方向に連続し、下縁が腸骨上縁に沿って巻き付けられ、腹部周りをほぼ均一にその中心に向かって圧迫する腹部締め付け帯とからなり、
巻き付け帯の短手方向の幅は、腸骨と第８肋骨間の幅より狭く、長手方向の長さは、少なくとも胴部の腹側で二重に巻かれる長さで、
胴部周りに巻き付けた巻き付け帯の背中側の積層方向の厚さが、仰臥位での胴部周りの背中側の窪みの深さにほぼ等しく、少なくとも第１２肋骨から第１０肋骨が胴部の内方に撓み、腹部周りの扁平楕円形の輪郭が円形に近づくことにより、巻き付け帯の外周面が円筒面に近づくことを特徴とするロール枕。
【請求項２】
巻き付け帯は、タオル地で形成されることを特徴とする請求項１に記載のロール枕。
【請求項３】
細長帯状の表裏面が布地で、短手方向幅が腸骨と第８肋骨間の幅より狭い帯状に形成される可撓性の巻き付け帯を、巻き付け帯の全体に長手方向に沿った張力を発生させて胴部周りに巻き付けるロール枕の装着方法であって、
帯状の上縁に沿って長手方向に連続する肋骨締め付け帯を、少なくとも第１０肋骨上に巻き付けるとともに、肋骨締め付け帯の下方で肋骨締め付け帯に沿って長手方向に連続する腹部締め付け帯の下縁を腸骨上縁に沿って巻き付けて、腹部周りをほぼ均一にその中心に向けて圧迫し、
巻き付け帯の全体に長手方向に沿った張力を発生させて、少なくとも胴部の腹側で二重に胴部周りに巻き付けた状態で、巻き付け帯の尾端部に形成された第１面ファスナーを、その下層の外表面に表れる対応部位に形成された第２面ファスナーに密着させて相互に係止し、巻き付け帯の背中側の積層方向の厚さが、仰臥位での胴部周りの背中側の窪みの深さにほぼ等しく、少なくとも第１２肋骨から第１０肋骨が胴部の内方に撓み、腹部周りの扁平楕円形の輪郭が円形に近づくことにより、巻き付け帯の外周面が円筒面に近づくことを特徴とするロール枕の装着方法。
【発明の詳細な説明】
【技術分野】
【０００１】
本発明は、腰痛を予防し、腰痛の症状を緩和するとともに、睡眠中の使用者の仰臥位と側臥位の間でのスムーズな寝返りを実現するロール枕とロール枕の装着方法に関する。
【背景技術】
【０００２】
腰痛の予防や治療をするための道具として、古くから腰回りを締め付け腰椎を安定化させる腰用ベルトが知られている。このような腰用ベルトの一例として、例えば図８に示すように、細長帯状で伸縮素材を用いた本体ベルト１０１からなり、腹部周りに本体ベルト１０１を巻き付け、長手方向に沿って一定の張力を発生させた状態で本体ベルトの両端を係止し、腹部周囲の体表面から均一に圧迫することにより、腹部の脊椎１０２の安定性を高める腰用ベルト１００が知られている（特許文献１）
【０００３】
また、図９に示すように、仰臥位での睡眠姿勢で、背中側のアーチ状に形成される窪みを埋め、腰部と背面に集中する体重や寝具による圧を分散して、初期の腰痛対策とすると共に就寝中の血流を良くする血行促進用具１１０も知られている（特許文献２）。
【０００４】
更に、睡眠中の使用者の仰臥位と側臥位の間でのスムーズな寝返りを実現する手段として、本願の発明者は、仰臥位と側臥位のいずれの睡眠姿勢においても頸椎を安定した位置に保持し、ダイナミックに寝返り動作を行うことができる枕の高さの調整方法を発明した（特許文献３）。
【先行技術文献】
【特許文献】
【０００５】
【特許文献１】特開平６−７８９４３号公報
【特許文献２】特許平１１−５６５３６号公報
【特許文献３】特許第４０２４１５２号公報
【発明の概要】
【発明が解決しようとする課題】
【０００６】
特許文献１の腰用ベルトは、腹部周りに巻き付ける本体ベルト１０１に伸縮素材を用いので、一定の張力を発生させた状態で巻き付けても、伸縮素材による本体ベルト１０１の長手方向の撓み量の分だけ、腰椎は移動可能で、腰椎を十分に安定化させることができない。
【０００７】
一方、伸縮素材の弾性限度を超えた過大な張力を発生させて本体ベルト１０１を腹部周りに巻き付けることも可能であるので、過度に締め付けられて腹圧が高くなり、腹腔内の内臓に負担がかかる恐れもある。
【０００８】
特許文献２の血行促進用具１１０は、仰臥位での寝具から受ける圧力を分散させるだけで、腰椎に周囲から圧力をかけて安定化させるものではないので、腰痛の予防や症状の改善は期待できない。
【０００９】
また、血行促進用具１１０は、寝具から受ける圧力を分散して、就寝中の血行を促進させているが、仰臥位の睡眠姿勢を続けた状態では、局部的に体圧が変化する状態が長時間連続し、その結果としてその部分で阻血が生じたり、神経の圧迫や脊椎骨盤の姿勢の異常がおこり、腰痛などの原因になる。
【００１０】
そこで、睡眠中は仰臥位と側臥位の間で何度も寝返りを繰り返すことが望まれ、特許文献３の発明によれば、頸椎が安定した位置に保持することによって、仰臥位と側臥位の間で頸椎に負担をかけずに寝返りを行うようにしたが、十分にスムーズな寝返りをうてるまでには至っていない。すなわち、仰臥位と側臥位の間で寝返りを行うための回転力は、膝から折り曲げた脚部を回転させることをきっかけとするものであるが、胸部周りと腰回りは、肋骨や骨盤に支持される固定された塊であるのに対し、その間の腹部が柔軟に屈曲するので、脚部から腰回りに伝達される寝返り方向のトルクが柔軟な腹部に吸収されて胸部に伝達されにくく、結局、寝返りを行うためには、腰や肩を何度も浮かせてずらせながら寝返りを行ったり、睡眠中に半覚醒して余分な筋肉を使用することとなり、就寝中にも疲労が蓄積されるものであった。
【００１２】
本発明は、このような従来の問題点を考慮してなされたものであり、楽な力で仰臥位と側臥位の間のスムーズな寝返りを行うことができるロール枕とロール枕の装着方法を提供することを目的とする。
【課題を解決するための手段】
【００１３】
上述の目的を達成するため、請求項１に記載のロール枕は、細長帯状の表裏面が布地で形成され、就寝中の胴部周りに巻き付ける可撓性の巻き付け帯と、巻き付け帯の全体に長手方向に沿った張力を発生させて胴部周りに巻き付けた状態で、巻き付け帯の尾端部を、その下層の表面に表れる対応部位に係止する係止部とを備えたロール枕であって、
前記係止部は、前記巻き付け帯の前記尾端部の裏面に形成される第１面ファスナーと、
前記巻き付け帯の前記対応部位の表面に形成され、対向する第１面ファスナーに密着し相互に係止する第２面ファスナーとを備え、前記巻き付け帯は、上縁に沿って長手方向に連続し、少なくとも第１０肋骨上に巻き付けられる肋骨締め付け帯と、肋骨締め付け帯の下方で肋骨締め付け帯に沿って長手方向に連続し、下縁が腸骨上縁に沿って巻き付けられ、腹部周りをほぼ均一にその中心に向かって圧迫する腹部締め付け帯とからなり、巻き付け帯の短手方向の幅は、腸骨と第８肋骨間の幅より狭く、長手方向の長さは、少なくとも胴部の腹側で二重に巻かれる長さで、胴部周りに巻き付けた巻き付け帯の背中側の積層方向の厚さが、仰臥位での胴部周りの背中側の窪みの深さにほぼ等しく、少なくとも第１２肋骨から第１０肋骨が胴部の内方に撓み、腹部周りの扁平楕円形の輪郭が円形に近づくことにより、巻き付け帯の外周面が円筒面に近づくことを特徴とする。
【００１４】
また、請求項３に記載のロール枕の装着方法は、細長帯状の表裏面が布地で、短手方向幅が腸骨と第８肋骨間の幅より狭い帯状に形成される可撓性の巻き付け帯を、巻き付け帯の全体に長手方向に沿った張力を発生させて胴部周りに巻き付けるロール枕の装着方法であって、
帯状の上縁に沿って長手方向に連続する肋骨締め付け帯を、少なくとも第１０肋骨上に巻き付けるとともに、肋骨締め付け帯の下方で肋骨締め付け帯に沿って長手方向に連続する腹部締め付け帯の下縁を腸骨上縁に沿って巻き付けて、腹部周りをほぼ均一にその中心に向けて圧迫し、巻き付け帯の全体に長手方向に沿った張力を発生させて、少なくとも胴部の腹側で二重に胴部周りに巻き付けた状態で、巻き付け帯の尾端部に形成された第１面ファスナーを、その下層の外表面に表れる対応部位に形成された第２面ファスナーに密着させて相互に係止し、巻き付け帯の背中側の積層方向の厚さが、仰臥位での胴部周りの背中側の窪みの深さにほぼ等しく、少なくとも第１２肋骨から第１０肋骨が胴部の内方に撓み、腹部周りの扁平楕円形の輪郭が円形に近づくことにより、巻き付け帯の外周面が円筒面に近づくことを特徴とする。
【００１５】
請求項１と請求項３の発明では、巻き付け帯の表裏面が布地であるので、重ねて巻き付けられる層間に高い摩擦力が発生し、就寝中に寝返りがあっても緩まず、長手方向に一定の張力が発生している状態を長時間維持する。
【００１６】
また、肋骨締め付け帯が第１２肋骨から少なくとも第１０肋骨上に巻き付けられるので、巻き付け帯による過剰な締め付けが制限され、過大な腹圧によって腹腔内の内蔵に負担がかかるようなことがない。
【００１７】
第１面ファスナーと第２面ファスナーとの係止位置は調整可能なので、巻き付け帯の長手方向に発生する張力を調整して腹腔内に発生する腹圧を調整できる。
【００１８】
一方、肋骨締め付け帯が巻き付けられる第１１肋骨と第１２肋骨は、前端が他の骨から遊離する浮肋であり、第１０肋骨も前端が直接胸骨に達しない仮肋であるので、長手方向に沿って張力が発生している肋骨締め付け帯によって締め付けられることにより胴部中心軸方向にわずかに撓むとともに、布地で肋骨締め付け帯と一体の腹部締め付け帯は、変形しにくい腸骨を避けた腸骨上縁に沿って巻き付けられるので、腹部周りをほぼ均一にその中心に向かって適圧で圧迫し、腹部の全体と腹腔内の腰椎が安定化する。このとき、下縁が腸骨上縁に沿った巻き付け帯の短手方向の幅は、腸骨と第８肋骨間の幅より狭く、巻き付け帯が変形しない骨盤や第１乃至第７肋骨の真肋の周りに巻き付けられることがないので、腹部締め付け帯による腹部の締め付けを妨げない。
【００１９】
また、第８肋骨より上方の第１乃至第７肋骨の真肋に巻き付け帯が巻き付けられることがないので、呼吸により前方上方に膨らむ肺の動きを妨げることがなく、息苦しくなることがない。
【００２０】
就寝中に脚部を回転させて、脚部から腰回りに伝達される胴部軸周りの寝返り方向のトルクは、腹部が腹部締め付け帯で締め付けられることにより硬化するので、腹部で減衰されずに胸部まで伝達され、楽な力で寝返りを行うことができる。また、臥床面がベッドや敷ぶとんなどの布地の表面である場合には、布地である巻き付け帯の表面若しくは裏面が高い摩擦力で接するので、寝返りを行う際に巻き付け帯が臥床面を滑らず、スムーズに寝返りを行うことができる。
【００２１】
更に、肋骨締め付け帯が巻き付けられる第１２肋骨が、長手方向に沿って張力が発生している肋骨締め付け帯によって締め付けられることにより胴部中心軸方向にわずかに撓み、布地で一体の肋骨締め付け帯と腹部締め付け帯とからなる巻き付け帯の全体が均一に胴部周りの体表面を締め付けるので、巻き付け帯の外表面は、腹部周りで円筒面に近づき臥床面上を転がりやすくなる。
【００２２】
巻き付け帯の背中側の積層方向の厚さは、仰臥位での胴部周りの背中側の窪みの深さにほぼ等しいので、巻き付け帯が窪みを埋めて、その両側の胸部及び臀部と同一面で臥床面に接し、巻き付け帯の外周面は、寝返り方向に胴部全体が回転するように案内する。
【００２３】
巻き付け帯の尾端部に設けられる第１面ファスナーを、その下層の対応部位の表面に設けられる第２面ファスナーに密着させることにより、巻き付け帯の尾端部と対応部位が係止され、長手方向に沿った張力が発生する状態で、胴部に巻き付けた巻き付け帯が保持される。
【００２４】
請求項２に記載のロール枕は、巻き付け帯がタオル地で形成されることを特徴とする。
【００２５】
巻き付け帯がタオル地で形成されるので、直接体表面に触れても不快感がなく、厚さ方向に一定量伸縮するので、胴部周りに巻き付けた際に体表面の細かい凹凸を吸収し、その外表面が円筒面に近づく。
【発明の効果】
【００２６】
請求項１の発明によれば、腹腔内の内蔵に負担がかからない適度の腹圧が上部腰椎と下部腰椎の周囲を均一に締め付けるので、腰椎が安定し、腰痛の発生が抑制されるとともに、腰痛が発生している場合にはその症状が緩和される。
【００２７】
更に、固定された塊となっている胸郭と骨盤を連結する腰椎を締め付けて一定の硬さとするので、脚部を回転させることにより脚部に発生する寝返り方向のトルクが減衰されずに胸郭まで伝達され、楽な力で胴部全体を回転させる寝返りが行われる。その結果、一晩の睡眠中にスムーズな寝返りが自然に繰り返され、血液、リンパ液、関節液が循環し、体温調節や新陳代謝が促される。
【００２８】
また、請求項１と請求項３の発明によれば、仰臥位での体の重心付近で胴部に巻き付けられる巻き付け帯の円筒面に近づいた外周面が、その両側の胸部及び臀部と同一面で臥床面に接し、臥床面上を転がる回転体として作用するので、腹部が締め付けられて脚部から寝返り方向の回転トルクが減衰されずに胸部まで伝達される作用と協働して、わずかな体の動きで寝返りを行うことができる。
【００２９】
更に、一対の対向する第１面ファスナーと第２面ファスナーを密着させるだけで、巻き付け帯を、その全体に長手方向に張力が発生している状態で保持できる。
【００３０】
一対の面ファスナーは、密着させて相互を係止させも、積層方向の厚みが薄いので、臥床面との間に密着する面ファスナーが介在しても、布地の巻き付け帯の厚みに吸収され、巻き付け帯の外周面に大きな凹凸が生じない。
【００３１】
請求項２の発明によれば、巻き付け帯がタオル地で形成されるので、直接体表面に触れても不快感がなく、厚さ方向に一定量伸縮するので、胴部周りに巻き付けた際に体表面の細かい凹凸や巻き付け帯の尾端部の係止部分の凹凸を吸収し、外表面に凹凸が表れないので、寝返りによる胴部の回転の抵抗とならない。
【００３２】
また、タオル地の巻き付け帯が腹部を含む胴部に巻き付けられるので、腹部の保温が保たれる。
【図面の簡単な説明】
【００３３】
【図１】本願発明の一実施の形態に係るロール枕１の（ａ）は平面図、（ｂ）は側面図である。
【図２】ロール枕１の巻き付け帯２を胴部へ巻き付ける状態を示す斜視図である。
【図３】巻き付け帯２を胴部へ巻き付けた状態を示す要部拡大平面図である。
【図４】仰臥位での睡眠姿勢の使用者と巻き付け帯２の巻き付け位置を示す側面図である。
【図５】仰臥位での睡眠姿勢の使用者と巻き付け帯２のそれぞれ臥床面へ接する位置を示す説明図である。
【図６】側臥位での睡眠姿勢の使用者と巻き付け帯２の巻き付け位置を示す側面図である。
【図７】側臥位での睡眠姿勢の使用者と巻き付け帯２のそれぞれ臥床面へ接する位置を示す説明図である。
【図８】従来の腰用ベルト１００を腹部周りに巻き付けた状態を示す（ａ）は、縦断面図、（ｂ）は、側面図である。
【図９】従来の血行促進用具１１０を仰臥位の睡眠姿勢の使用者に装着した状態を示す側面図である。
【発明を実施するための形態】
【００３４】
以下、本発明の一実施の形態に係るロール枕１とロール枕の装着方法を、図１乃至図７を用いて説明する。尚、本明細書では、ロール枕１を巻き付ける使用者の頭の方向を上方、脚の方向を下方、胸側を前方、背中側を後方として、ロール枕１の各部とその装着方向をを説明する。
【００３５】
図１に示すように、ロール枕１は、使用者の胴部に巻き付ける巻き付け帯２と巻き付け帯２の表面と裏面に貼り付けられた一対の係止部である面ファスナー３ａ、３ｂから構成される。図は、胴部に巻き付ける前の展開した状態の巻き付け帯２を示し、タオル地からなる布地を図示するように細長帯状に裁断して形成される。しかしながら、長手方向に伸縮せず、少なくとも細長帯状の裏面（図１の平面に表れる面）と表面（図１の底面側の面）が布地であれば、ポリエステル繊維などの合成繊維からなる布地であってもよく、低反発素材を芯材としてその表裏面を布地で覆うものであってもよい。
【００３６】
巻き付け帯２の短手方向幅Ｗ、長手方向幅Ｌ、厚さｔは、使用者の身体的特徴から設定される。巻き付け帯２の短手方向幅Ｗは、使用者の腸骨上端６Ｕと第１２肋骨４１２間の幅より広く、腸骨上端６Ｕと第８肋骨４８間の幅より狭いいずれかの幅に設定される。これにより、図３に示すように、下縁２Ｌを使用者の腸骨上端に沿って巻き付けると、上縁２Ｕが使用者の第８肋骨４８乃至第１２肋骨４１２の間を巻き付けることとなり、巻き付け帯２の上方側の部分２Ａが少なくとも第１０肋骨上に巻き付けられる。本発明では、巻き付け帯２のうち、第１２肋骨上に巻き付ける部分から上縁２Ｕまでの図１に示す部分２Ａを肋骨締め付け帯２Ａといい、肋骨締め付け帯２Ａに沿って長手方向に連続し、肋骨締め付け帯２Ａの下方から下縁２Ｌまでの腹部に巻き付ける部分を腹部締め付け帯２Ｂという。
【００３７】
人間の骨格の構造上、第１乃至第７肋骨４１−４７は、その前端が胸骨外側縁と連結する「真肋」といい、第８乃至第１２肋骨４８−４１２は、直接胸骨に達しない「仮肋」という。「仮肋」のうち、第８乃至第１０肋骨４８−４１０は、すぐ上位の肋軟骨に結合して「肋骨弓」をつくるが、第１１肋骨４１１と第１２肋骨４１２は、前端が遊離して終わるので比較的不安定な「浮肋」とよばれる。
【００３８】
本発明では、図３にしめすように、肋骨締め付け帯２Ａを、第１２肋骨４１２から少なくとも上方が第１０肋骨４１０までの肋骨４上に巻き付けるので、過剰な胴部周りへの締め付けが規制され、腹腔内の内臓が内圧上昇によって負担をうけることがない。一方、肋骨締め付け帯２Ａの部分は、比較的撓みやすい第１２肋骨４１２から上方の第１０肋骨４１０までに巻き付けられるので、巻き付け帯２に一定の張力を発生させながら胴部周りに巻き付けることにより、第１２肋骨４１２から第１０肋骨４１０までの浮肋と仮肋は胴部の内方に僅かに撓み、前後方向より両側の左右方向が長い楕円形の輪郭の胴部周りは、円形の輪郭に近づく。
【００３９】
また、巻き付け帯２の上縁２Ｕの上限は第８肋骨４８、下縁２Ｌの下限は腸骨上端であるので、安定して硬い「真肋」や腸骨上に巻き付けられることがなく、長手方向に一定の張力を発生させた適圧で腹部を締め付けることができる。
【００４０】
更に、巻き付け帯２の肋骨締め付け帯２Ａは、「真肋」である第１乃至第７肋骨４１−２７上に巻き付けられることがないので、吸気で肺が前上方に膨らむことを巻き付け帯２が妨げることがなく、息苦しさを生じることもない。
【００４１】
巻き付け帯２の厚さｔは、巻き付け帯２を胴部周りに巻き付けた使用者が仰臥位の睡眠姿勢でベットなどの寝具１０に横たわった際に、臥床面（寝具１０の平面）と使用者の第７胸椎５７の背側付近と仙骨７の背側付近の間に生じる窪みを胴部周りに巻き付けた巻き付け帯２が埋めるようにその厚さｔが設定される。すなわち、ロール枕の背中側に巻き付ける巻き付け数をｎとし、巻き付ける巻き付け帯２の厚さｔが長手方向に張力を発生させなが巻き付けられることにより幾分伸縮した厚さｔ’になるとして、胴部周りに巻き付けた巻き付け帯２の背中側の積層方向の厚さｎｔ’が、仰臥位の使用者の第７胸椎５７の背側付近と仙骨７の背側付近の間に生じる窪みの深さにほぼ等しくなるように、巻き付け帯２の厚さｔと長手方向幅Ｌを設定する。
【００４２】
本実施の形態では、巻き付け帯２を胴部へ巻き付けた際の背中側の厚さｔ’が、使用者の背中側の窪みδにほぼ等しくなる厚さｔの巻き付け帯２を用いるので、巻き付け帯２の長手方向幅Ｌは、図２に示すように、巻き付け帯２の背中側を一重（巻き数ｎを１）とする長さに設定する。
【００４３】
上述のように、使用者の身体的特徴から設定される巻き付け帯２の短手方向幅Ｗ、長手方向幅Ｌ、厚さｔには、一定の許容範囲があるので、例えば、３種類程度の短手方向幅Ｗが異なる組み合わせと、３種類程度の長手方向幅Ｌと厚さｔが異なる組み合わせを組み合わせた９種類程度の異なる形状の巻き付け帯２を用意しておけば、概ね全ての使用者にいずれかを適用することができる。
【００４４】
細長帯状の表裏面に形成された一対の面ファスナー９ａ、９ｂは、互いの対向面を密着させることにより相互に係止されるもので、図１に示すように、裏面の一端に沿って形成される一方の面ファスナー３ａは、巻き付け帯２の巻き終わりの尾端部である終端２Ｅに沿った縦長長方形に形成され、表面に形成される他方の面ファスナー３ｂは、巻き始めの基端２Ｓから概ね使用者の腹部前方の幅の間隔を隔てた位置に太幅長方形の輪郭で形成される。従って、巻き付け帯２を胴回りに巻き付けると、巻き終わりの尾端部に設けられる一方の面ファスナー３ａにその下層の巻き付け帯２の外周面に設けられた他方の面ファスナー３ｂが対抗し、両者の対向面を密着させることにより、巻き付け帯２は、長手方向に沿って張力を発生させた状態で胴回りに固定される。
【００４５】
一方の面ファスナー３ａに対して他方の面ファスナー３ｂの巻き付け方向（長手方向）に沿った横幅を太幅とすることにより、一対の面ファスナー３ａ、３ｂ間の係止位置が調整可能となっている。これにより、腹部周りの長さが異なる使用者に対して同一のロール枕１を適用可能となり、また、巻き付け帯２の長手方向に発生する張力を調整して腹腔内に発生する腹圧を調整できる。
【００４６】
次に、このように構成されるロール枕１を使用者の胴部へ巻き付けて固定する装着方法を説明する。ロール枕１を装着する際には、使用者は、図２に示すように起立し、軽く息を吐いて、腹部をやや引っ込めた状態とする。続いて、巻き付け帯２の下縁２Ｌを腸骨上端６Ｕに沿わせると共に、基端２Ｓを腹部をやや引っ込めた左脇腹の前方付近に位置決めする。
【００４７】
その後、基端２Ｓを押さえながら、巻き付け帯２を緩やかに引っ張りながら右脇腹、背中を介して一周する左脇腹まで、下縁２Ｌが腸骨上端６Ｕを沿うように胴回りに平行に巻き付け、基端２Ｓ上に重なる位置から更に終端２Ｅが右脇腹付近で下層の巻き付け帯２上に重なるまで巻き付け、その状態で対抗する一対の面ファスナー３ａ、３ｂ間を密着させて係止する。つまり、本実施の形態では、巻き付け帯２が胴部の前方で二重に、後方（背中側）で一重に巻かれる。
【００４８】
巻き付け帯２を引っ張りながら胴回りに重ねて巻き付ける際には、それぞれ布地である巻き付け帯２の表面と裏面が面接触するので、高い摩擦力が得られ、巻き付け帯２に長手方向に沿った張力が発生していても緩みにくい。
【００４９】
巻き付け帯２を引っ張りながら胴回りに巻き付けることにより、第１２肋骨４１２から第１０肋骨４１０上に巻き付けられる肋骨締め付け帯２Ａには、その長手方向に沿った張力が発生し、第１２肋骨４１２から第１０肋骨４１０が内方にわずかに撓み、肋骨締め付け帯２Ａの外表面は、円形の輪郭に近づく。また、肋骨締め付け帯２Ａに一体で隣り合う腹部締め付け帯２Ｂにも、同様に長手方向に沿った張力が発生するので、腹部は、第１２肋骨４１２から第１０肋骨４１０が内方にわずかに撓む限度で締めつけられ、腹腔内には、内蔵に負担をかけない程度の適度な内圧が体表面から腹部中心軸方向に向かって均一に発生する。
【００５０】
長手方向に張力が発生した状態で、胴回りに巻き付けた巻き付け帯２の終端２Ｅをその下層の対応部位に係止するので、その後、使用者が自然な呼吸を繰り返しても、上記腹腔内の内圧が維持される。
【００５１】
一対の面ファスナー３ａ、３ｂ間を係止して胴回りに固定した巻き付け帯２は、巻き付けられた下層と上層が接する表面と裏面が布地で形成されているので、上述の通り高い接触圧が生じていて長手方向に緩まず、また、上縁２Ｕと下縁２Ｌは、比較的安定した肋骨４と腸骨上端６Ｕより胴部の内方（胴部中心軸方向）に沈み込むので、上下方向にも位置ずれしにくい。
【００５２】
しかしながら、使用者が起立している状態から寝具１０に横たわるまでに巻き付け帯２が緩む場合には、起立状態で胴回りに緩やかに巻き付けて仮止めしておき、その後、寝具１０に横たわった仰臥位で、使用者が息を吐いてお腹を引っ込めた状態で、巻き付け帯２の終端２Ｅを引っ張り、所定の張力を発生させた後、一対の面ファスナー３ａ、３ｂ間を係止してもよい。
【００５３】
また、使用者が締め付けがきついと感じる場合には、一対の面ファスナー３ａ、３ｂ間の係止位置をずらして、巻き付け帯２に発生する張力を減じさせるように調整してもよい。
【００５４】
上述のロール枕１の装着方法では、締め付け帯２の表面と裏面が布地で形成されているので、厚さ方向に一定量伸縮し、使用者の体表面や衣類に多少の凹凸があっても、締め付け帯２の外表面に表れない。また、巻き付け帯２の基端２Ｓと終端２Ｅの位置で積層数の相違により巻き付け帯２の外表面に表れる段差は、いずれも胴部の前方側であり、仰臥位と側臥位の間で寝返りを行う際に臥床面と接する巻き付け帯２の外表面には表れないので、段差が寝返りを阻害することがない。
【００５５】
また、終端２Ｅを対応部位に係止する一対の面ファスナー３ａ、３ｂは、胴部の前方側にあるので、使用者本人が一対の面ファスナー３ａ、３ｂを密着させて係止することができる。
【００５６】
次にロール枕１を胴部周りに装着した際の作用と効果について説明する。
１．腰痛の予防と腰痛が発生している場合の症状の緩和
【００５７】
腹部の周囲が腹部締め付け帯２Ｂにより均一に締めつけられることにより、腹腔内圧は、内臓に負担をかけない程度の適圧に高まり、その下方の骨盤内圧も間接的に高められる。その結果、腹腔内の臓器や腹直筋、腹斜筋等の表層の筋肉も安定化する。
【００５８】
腰痛は第４腰椎８４や第５腰椎８５の下部腰椎の付近で起こることが多い。これは前弯する腰椎の特に急激に曲がる第４腰椎８４から第５腰椎８５が、前方に滑りやすく、そこに剪断力が発生して付近の椎間板に負担がかかることが原因と考えられている。ロール枕１の腹部締め付け帯２Ｂで腹部の周囲から均一に締めつけることにより、第４腰椎や第５腰椎などの下部腰椎８４、８５と第１腰椎８１や第２腰椎８２など上部腰椎８１、８２とに、周囲から均一に腹腔内圧がかかり、前方に滑りやすい下部腰椎８４、８５を上部腰椎８１、８２と一軸に整列させるように作用するので、下部腰椎８４、８５に剪断力が働かない。従って、下部腰椎８４、８５付近の椎間板に負担がかからず、腰痛が発生しない。
【００５９】
また、骨盤に連結して回旋に対して安定している下部腰椎８４、８５に対して、回旋に対して不安定な上部腰椎８１、８２の不安定性が下部腰椎８４、８５に伝達して下部腰椎８４、８５の付近の神経を刺激して腰痛が発生するが、上部腰椎８１、８２の周囲に腹腔内圧が均一に加わり、上部腰椎８１、８２の不安定性が減少するので、上部腰椎８１、８２の不安定性に起因する腰痛も減少する。
【００６０】
２．仰臥位と側臥位の間の寝返りの促進。
【００６１】
（１）就寝時の仰臥位と側臥位の間の寝返りは、通常、脚を折り曲げた回転から始まり、脚に発生する寝返り方向のトルクが、骨盤と下部腰椎８４、８５と上部腰椎８１、８２を介して胸椎５と肋骨４からなる胸郭に伝達され、胴部の全体が寝返り方向に回転する。脚と骨盤と下部腰椎８４、８５は連結され、回旋が安定しているが、ロール枕１を装着しない場合には、上部腰椎８１、８２から第１２胸椎５１２までの回旋は不安定であり、脚に発生するトルクはこの不安定な部分で減衰し、胸郭に伝わりにくいので、腰や肩を浮かせてずらせながら寝返りを行ったり、半覚醒する程度の力を使っていた。
【００６２】
本実施の形態によれば、この回旋不安定な部分である上部腰椎８１、８２から第１２胸椎５１２までを巻き付け帯２により周囲から均一に締めつけ、一体化させて回旋を安定化させるので、寝返り方向のトルクが減衰せずに胸郭まで伝達される。
【００６３】
更に、胸郭で形成される胸部と骨盤で形成される臀部は、比較的固定された塊であるのに対し、胸部と臀部を結合するジャンクションとして作用する腹部は柔軟性があるので、脚から臀部に伝達される寝返り方向のトルクが、柔らかい腹部に吸収されて胸部に伝達されない。しかしながら、本実施の形態によれば、腹部締め付け帯２Ｂで腹部の全体を周囲から締めつけて硬化させるので、腹部の全体においても寝返り方向のトルクが減衰せずに胸郭まで伝達される。
【００６４】
従って、軽い力を加えるだけの脚の回転であっても、その回転エネルギーは、腰椎や腹部の屈曲によって減衰されることがなく胸郭まで伝達され、スムーズに胴部を回転させて寝返りを行うことができる。
【００６５】
（２）本願の発明者は、多数の被験者の寝返り動作を解析した結果、身体の胴部で体表面によって規定される胴体内部にある力学的な回転の中心軸は、立位で胸骨柄と第７頸椎棘突起との中点である胸部中心と、上前腸骨棘左右と上後腸骨棘左右の４点を結ぶ四辺形の対角線の交点である骨盤中心とを結ぶ直線で定義される胴部中心軸であり、この胴部中心軸が仰臥位と側臥位のいずれでも臥床面（寝具１０の平面）に対して平行である場合に、スムーズな寝返りが行われることを見い出した。本実施の形態によれば、巻き付け帯２が胴部周りの体表面を周囲から均一な力で締めつけるので、比較的撓みやすい第１２肋骨４１２が胴部の内方に僅かに撓み、腹部周りの扁平楕円形の腹部周りの輪郭は円形に近づくように矯正され、胴部周りに巻き付けた巻き付け帯２の外周面は、寝具１０の平面に平行な上記胴部中心軸周りの円筒体に近づく。
【００６６】
特に、側臥位では、下部胸椎５から腰椎８にかけての脊椎が寝具１０の方向に湾曲するととともに、その周囲の腹部も寝具１０の方向に垂れ下がるが、巻き付け帯２で腹部周りが締めつけられることにより、腹部の脊椎と胴部の体表面によって規定される腹部の中心軸は、臥床面（寝具１０の平面）に対して平行となるように矯正される。
【００６７】
更に、仰臥位では、図４に示すように、胴部周りに巻き付けた巻き付け帯２の背中側の積層方向の厚さが、使用者の第７胸椎５７の背側付近と仙骨７の背側付近の間に生じる窪みにほぼ等しく、側臥位でも、図６に示すように、巻き付け帯２の積層方向の厚さが、側臥位の使用者の第８肋骨４８乃至第９肋骨４９付近と大転子９の付近の間に生じる窪みを埋めるので、仰臥位と側臥位の間での寝返りの間に、巻き付け帯２の外周面は、腹部周りの窪みを埋めて常に寝具１０の平面に接触している。従って、図５、図７に示すように、上述したように円筒体に近づく巻き付け帯２の外周面は、胴部全体の重心が存在する腹部を寝具１０の表面上で転がるように案内する腹部ドラム２１として作用する。
【００６８】
また、寝具１０の表面に転がり接触する巻き付け帯２の外表面は、布地であるので、寝具１０がベッドや布団などその表面が布地である場合には、互いが高い摩擦力で接するので、巻き付け帯２の外周面が寝具１０の表面上を滑り、寝返り方向の回転エネルギーのロスが生じることがない。
【００６９】
また、上述したように、胸郭で形成される胸部と骨盤で形成される臀部は、比較的固定された塊で、それぞれ図５、図７に示すように、寝具１０の表面上を転がる胸部ドラム２０、臀部ドラム２２として作用するので、腹部ドラム２１は、胸部ドラム２０と臀部ドラム２２とを結合するジャンクションとなって胴部全体を一体の円筒体とし、胴部全体を寝具１０上で転がるように案内する。
【００７０】
（３）従って、無意識な程度の軽い力で寝返りを行うことができるという（１）の作用と、巻き付け帯２が寝具１０上で胴部全体が転がるように案内する（２）の作用とが協働することにより、スムーズに寝返りを行うことができ、就寝中に無意識に寝返りを繰り返し、血液、リンパ液、関節液が循環し、体温調節や新陳代謝が促される。
【００７１】
上述の実施の形態では、巻き付け帯２の尾端部を尾端部である終端２Ｅとその対応部位に一対の面ファスナー３ａ、３ｂを設けて係止部としたが、凹凸のある一組のフックを契合させるなど他の方法で係止してもよい。
【００７２】
また、肋骨締め付け帯２Ａが少なくとも第１０肋骨４１０上に巻き付けられるものであれば、巻き付け帯２の上縁２Ｕは、第１０肋骨４１０から第８肋骨４８の間のいずれにあってもよい。
【産業上の利用可能性】
【００７３】
本発明は、就寝中に使用者が胴回りに巻き付けて使用するロール枕とロール枕の装着方法に適している。
【符号の説明】
【００７４】
１  ロール枕
２  巻き付け帯
２Ａ  肋骨締め付け帯
２Ｂ  腹部締め付け帯
２Ｕ  上縁
２Ｌ  下縁
２Ｅ  終端
２Ｓ  基端
３  面ファスナー
４  肋骨
５  胸椎
６Ｕ  腸骨上端
７  仙骨
８  腰椎
９  大転子
１０  寝具
２０  胸部ドラム
２１  腹部ドラム
２２  臀部ドラム
【図１】
0006774742.tif 000002
【図２】
0006774742.tif 000003
【図３】
0006774742.tif 000004
【図４】
0006774742.tif 000005
【図５】
0006774742.tif 000006
【図６】
0006774742.tif 000007
【図７】
0006774742.tif 000008
【図８】
0006774742.tif 000009
【図９】
0006774742.tif 000010